(57)【要約】【課題】引き戸の防犯性能を格段に高めたロック付クレセント錠を提供する。【解決手段】２枚の引き戸１、２の一方の枠３に固定する受金２０と、他方の枠４に固定する本体５と、本体５に回動自在に軸承され、受金２０の係合部２０ａに係合する掛け部７ｂを有する掛け金７と、掛け金７に設けられて該掛け金７の回動をロックするダイヤル錠８とを備え、本体５にダイヤル錠８のかんぬき部材９を係止する係止部を設けたロック付クレセント錠において、掛け金７には、該掛け金７の掛け部７ｂに対向して係合部変形防止部７ｃを設け、掛け部７ｂと係合部変形防止部７ｃ間に受金２０の係合部２０ａの通路溝７ｄが設けられている。【選択図】      図１
2005314922.tif 000002
【特許請求の範囲】
【請求項１】
２枚の引き戸の一方の枠に固定する受金と、他方の枠に固定する本体と、この本体に回動自在に軸承され、前記受金の係合部に係合する掛け部を有する掛け金と、この掛け金の回動をロックするロック錠とを設けたロック付クレセント錠において、前記掛け金には、該掛け金の掛け部に対向して係合部変形防止部を設け、前記掛け部と前記係合部変形防止部間に前記受金の係合部の通路溝が設けられていることを特徴とするロック付クレセント錠。
【発明の詳細な説明】
【技術分野】
【０００１】
本発明は、窓の引き戸をロックするためのロック付クレセント錠に関する。
【背景技術】
【０００２】
従来のロック付クレセント錠として、例えば特許文献１に示すものが知られている。この構造を図２乃至図４により説明する。図３（ａ）に示すように、２枚の引き戸１及び２の一方の枠３には、ロック付クレセント錠に用いる受金２０がビス２１によって固定されている。図２乃至図４に示すように、他方の枠４には、ロック付クレセント錠の本体５がビス６によって固定されている。本体５には掛け金７のボス部７ａが回動自在に軸承され、掛け金７のボス部７ａには、ダイヤル錠８の端部が固定されている。ダイヤル錠８は、かんぬき部材９と、このかんぬき部材９をロックするダイヤル１０と、かんぬき部材９に固定又は一体に形成されたつまみ１１と、ダイヤル錠８の係止穴８ａ及び本体５の係止穴５ａに選択的に挿入するようにつまみ１１に設けられたピン１２とを有する。
【特許文献１】実用新案登録第２５１２３９６号公報
【０００３】
次に作用について説明する。図３は、受金２０に掛け金７が掛けられ、またかんぬき部材９（図２（ｂ）参照）がロックされ、引き戸１及び２を開けることができない状態を示す。この状態より引き戸１及び２を開ける時は、ダイヤル１０を予めセットされた番号に合わせると、かんぬき部材９のロックが解除される。そこで、つまみ１１を図２（ｂ）に実線でに示すように上方に引いてピン１２を係止穴５ａより離し、つまみ１１を図２（ｂ）に２点鎖線で示すようにダイヤル錠８の方向に回し、つまみ１１を押してピン１２を係止穴８ａに挿入しておけば（図４（ａ）の状態）、掛け金７及びダイヤル錠８は回動できる。そこで、図４（ｂ）に示すようにつまみ１１を下方方向に回動させる。これにより、掛け金７は枠３に固定された受金２０より外れるので、引き戸１及び２を自由に開け締めできる。
【０００４】
次に引き戸１及び２が開かない状態にするには、引き戸１及び２を突き合わせた後、前記と逆の操作を行えばよい。即ち、図４（ｂ）の状態よりつまみ１１を上方に回動させて図４ａｂ）の状態にし、次に図２（ｂ）に２点鎖線で示すようにつまみ１１を上方に引上げ、続いてつまみ１１を実線で示すように回動させ、次につまみ１１を押し下げ図３のようにピン１２を係止穴５ａに挿入する。そして、ダイヤル１０を適当に回すと、かんぬき部材９はロックされる。
このように、クレセント錠にダイヤル錠８を組み込んでなるので、ロック付クレセント錠の近くのガラスを部分的に破壊しても、予めセットされたダイヤル１０の番号を知らなければ掛け金７を回動させることができなく、防犯性が極めて高い。
【０００５】
なお、掛け金の回動をロックするロック付クレセント錠として、前記した特許文献１の他に例えば特許文献２及び３に示すものも知られている。特許文献２は、取付ベース（本体）に設けられた回動フック（掛け金）の回動通路に出没して掛け金の回動を規制するストッパーと、掛け金の回動中心である本体の軸承部に設けたダイヤル錠と、ストッパーの動きをダイヤル錠の作動軸に伝達するように本体内に回動自在に設けた揺動レバーとから鳴っている。即ち、ダイヤル錠は、本体の掛け金の軸承部に、ダイヤル錠のダイヤルの軸心が一致するように設け、掛け金の回動を規制するストッパーの動きを揺動レバーを会してダイヤル錠の作動軸に伝達する。特許文献３は、２つの部材の合わせ面に貫通孔を設け、両部材の貫通孔に南京錠のかんぬき部材を挿入してロックするものである。
【特許文献２】実開昭６３−１２７５７４号公報
【特許文献３】実開昭５９−１１７２０８号公報
【発明の開示】
【発明が解決しようとする課題】
【０００６】
空き巣と戸締り用鍵とは、いたちごっこの感がある。前記したロック付クレセント錠が普及し、このロック付クレセント錠にはダイヤル錠８のダイヤル１０（鍵）が掛かっており、ガラスを割って手を入れても回らない。そこで、次のような新たな手口が出てきた。２枚の引き戸１と２の隙間１５に、外部より薄い鉄板を差し込み、強引に２枚の枠３と４間を押し広げる。これにより、掛け金７の掛け部７ｂの内側に突出して該掛け部７ｂに係合する受金２０の先端の折り曲げられた係合部２０ａが掛け金７の掛け部７ｂによって伸ばされる。係合部２０ａが伸ばされると、受金２０と掛け金７との係合が外れ、引き戸１及び２を開けることができる。
【０００７】
本発明の課題は、引き戸の防犯性能を格段に高めたロック付クレセント錠を提供することにある。
【課題を解決するための手段】
【０００８】
上記課題を解決するための本発明は、２枚の引き戸の一方の枠に固定する受金と、他方の枠に固定する本体と、この本体に回動自在に軸承され、前記受金の係合部に係合する掛け部を有する掛け金と、この掛け金の回動をロックするロック錠とを設けたロック付クレセント錠において、前記掛け金には、該掛け金の掛け部に対向して係合部変形防止部を設け、前記掛け部と前記係合部変形防止部間に前記受金の係合部の通路溝が設けられていることを特徴とする。
【発明の効果】
【０００９】
掛け部に対向して係合部変形防止部を設けているので、２枚の引き戸の隙間に外部より薄い鉄板を差し込み、強引に２枚の枠間を押し広げても、係合部は係合部変形防止部に当たって広げられるのが防止される。これにより、引き戸の防犯性能が格段に高められる。
【発明を実施するための最良の形態】
【００１０】
本発明の一実施の形態を図１により説明する。なお、図２乃至図４と同じ又は相当部材には同一符号を付し、その詳細な説明は省略する。掛け金７には、該掛け金７の掛け部７ｂに対向して係合部変形防止部７ｃを設け、前記掛け部７ｂと前記係合部変形防止部７ｃ間に前記受金２０の係合部２０ａの通路溝７ｄが設けられている。
【００１１】
このように、掛け部７ｂに対向して係合部変形防止部７ｃを設けているので、２枚の引き戸１と２の隙間１５に外部より薄い鉄板を差し込み、強引に２枚の枠３と４間を押し広げても、係合部２０ａは係合部変形防止部７ｃに当たって広げられるのが防止される。これにより、引き戸の防犯性能が格段に高められる。
【００１２】
なお、前記実施の形態は、〔背景技術〕の項で述べた特許文献１のロック付クレセント錠に適用した場合について説明したが、その他の例えば特許文献２及び３のロック付クレセント錠にも適用できることは言うまでもない。またダイヤル錠に限らなく、例えば鍵を差し込んで開閉させる構造にも適用できる。
【図面の簡単な説明】
【００１３】
【図１】本発明のロック付クレセント錠の一実施の形態を示し、（ａ）は正面図、（ｂ）は使用状態の正面図である。
【図２】従来のロック付クレセント錠を示し、（ａ）は正面図、（ｂ）はつまみを引き上げた状態を示す側面図である。
【図３】従来のロック付クレセント錠の使用状態を示し、（ａ）は正面図、（ｂ）は斜視図である。
【図４】従来のロック付クレセント錠の使用状態を示す斜視図である。
【符号の説明】
【００１４】
１、２    引き戸
３、４    枠
５    本体
５ａ    係止穴
７    掛け金
７ａ    ボス部
７ｂ    掛け部
７ｃ    係合部変形防止部
７ｄ    通路溝
８    ダイヤル錠
８ａ    係止穴
９    かんぬき部材
１０    ダイヤル
１１    つまみ
１２    ピン
２０    受金
２０ａ    係合部
【図１】
2005314922.tif 000003
【図２】
2005314922.tif 000004
【図３】
2005314922.tif 000005
【図４】
2005314922.tif 000006
【手続補正書】
【提出日】平成17年5月31日(2005.5.31)
【手続補正１】
【補正対象書類名】明細書
【補正対象項目名】０００５
【補正方法】変更
【補正の内容】
【０００５】
なお、掛け金の回動をロックするロック付クレセント錠として、前記した特許文献１の他に例えば特許文献２及び３に示すものも知られている。特許文献２は、取付ベース（本体）に設けられた回動フック（掛け金）の回動通路に出没して掛け金の回動を規制するストッパーと、掛け金の回動中心である本体の軸承部に設けたダイヤル錠と、ストッパーの動きをダイヤル錠の作動軸に伝達するように本体内に回動自在に設けた揺動レバーとから鳴っている。即ち、ダイヤル錠は、本体の掛け金の軸承部に、ダイヤル錠のダイヤルの軸心が一致するように設け、掛け金の回動を規制するストッパーの動きを揺動レバーを介してダイヤル錠の作動軸に伝達する。特許文献３は、２つの部材の合わせ面に貫通孔を設け、両部材の貫通孔に南京錠のかんぬき部材を挿入してロックするものである。
【特許文献２】実開昭６３−１２７５７４号公報
【特許文献３】実開昭５９−１１７２０８号公報